(57)【要約】      （修正有）【課題】ハイミセスの体型であってもスタイリッシュに着こなせると共に窮屈に感じずに楽に快適に着用することができるパンツを提供する。【解決手段】前身頃２０、後見頃３０およびウエストベルト４０を縫製して一体化することによって得られるハイミセス用パンツであり、ウエストベルトが、その上下縁４１，４２が脇中心４３から前中心４４および後中心４５に向けて徐々に上方に向かう弧状ラインを描くように形成されている。【選択図】図２
0003184207.tif 000002
【実用新案登録請求の範囲】
【請求項１】
前身頃、後見頃およびウエストベルトを縫製して一体化することによって得られるパンツであって、ウエストベルトが、その上下縁が脇中心から前中心および後中心に向けて徐々に上方に向かう弧状ラインを描くように形成されていることを特徴とするパンツ。
【考案の詳細な説明】
【技術分野】
【０００１】
本考案はパンツに関し、特に６０代や７０代の女性が楽にしかもすっきりしたシルエットで着用することができるような特徴を備えたパンツに関する。
【背景技術】
【０００２】
ボトムスの一種としてのパンツ（スラックス、ズボンなどとも呼ばれる）は、特に女性にとって欠かせないファッションアイテムの一つとなっている。
【考案の開示】
【考案が解決しようとする課題】
【０００３】
しかしながら、女性の体型は加齢や出産などに伴って大きく変化しがちであり、特に６０代や７０代（以下「ハイミセス」と呼ぶ。）になると下腹部が膨らんで前に出っ張るようになったりヒップ位置が下がってくるなどの体型変化が顕著になる。ところが、従来のパンツは比較的若い世代の女性をターゲットにしてデザインされているものが多く、これをハイミセスが着用すると体型が合わないことから窮屈さを感じたり、スタイリッシュな着こなしができないなどの不都合を生ずることがあった。
【０００４】
図３は、従来のパンツを標準体型の女性が着用したときの状態を示す。従来のパンツ１では、標準体型ラインＡＶの女性の腹部にぴったりフィットするように、ウエストベルト２が直線的な帯状に形成されている。このパンツ１をハイミセスが着用しても、変化したハイミセスの体型ラインＨＭに合わない。ウエストベルト２を横方向に伸縮可能な素材で形成すれば、同図に仮想線で図示するようにウエストベルト２が前後に伸びるが、前にせり出した腹部を締め付けてしまい、特に体を前屈みにした場合などに窮屈になり、長時間快適に着用することが困難となる。
【０００５】
したがって、本考案が解決しようとする課題は、ハイミセスの体型であってもスタイリッシュに着こなせると共に窮屈に感じずに楽に快適に着用することができるようなパンツを提供することである。
【課題を解決するための手段】
【０００６】
上記課題を解決するため、請求項１に係る本考案は、前身頃、後見頃およびウエストベルトを縫製して一体化することによって得られるパンツであって、ウエストベルトが、その上下縁が脇中心から前中心および後中心に向けて徐々に上方に向かう弧状ラインを描くように形成されていることを特徴とする。
【考案の効果】
【０００７】
本考案によれば、下腹部が膨らんで前に出張るようになったハイミセスが着用してもスタイリッシュに着こなすことができ、しかも前屈みになっても窮屈さを感じずに済むために長時間にわたって快適に着用することができる。
【考案を実施するための最良の形態】
【０００８】
本考案の一実施形態に係るパンツについて、以下図１および図２を参照して説明する。このパンツ１０は、下腹部が膨らんで前に出張るようになったハイミセスが着用してもスタイリッシュに着こなすことができ、しかも前屈みになっても窮屈さを感じずに済むために長時間にわたって快適に着用することができるような工夫が各所に施されている。
【０００９】
図２に示すように、このパンツ１０は、従来のパンツと同様、前身頃２０、後見頃３０およびウエストベルト４０を縫製して一体化することによって得られる。図２において、本考案の一実施形態に係るパンツ１０の各部の輪郭形状が実線で示されており、併せて、従来の標準体系用パンツの輪郭形状が点線で示されている。これらの比較から明らかなように、このパンツ１０は従来のパンツとは明らかに異なる輪郭形状を有しており、特に、ウエスト部４０の形状が大きく異なり、これに伴って前身頃２０および後身頃３０の各股上部２１，３１の形状も異なっている。
【００１０】
すなわち、従来のパンツのウエストベルトは略直線的に横長に延びる帯状部材として形成される（図２において点線で図示、図３も参照のこと）のに対し、このパンツ１０のウエストベルト４０は、その上下縁４１，４２が脇中心４３から前中心４４および後中心４５に向けて徐々に上方に向かう弧状ラインを描くように形成されている。そして、これに伴い、前身頃２０については、その上縁２２が脇中心２３から前股部２４に向けて徐々に上方に向かう弧状ラインを描くように形成されると共に、後身頃３０についても、その上縁３２が脇中心３３からヒップ３４に向けて徐々に上方に向かう弧状ラインを描くように形成されている。
【００１１】
既述したように、このパンツ１０のウエストベルト４０は、その上下縁４１，４２が脇中心４３から前中心４４および後中心４５に向けて徐々に上方に向かう弧状ラインを描くように形成されているので、着用するウエストベルト４０の生地にバイアスがかかり、体型や姿勢に応じて自然に伸びることができる。したがって、このパンツ１０をハイミセスが着用すると、図１に示されるように、ハイミセスの下がり気味になったヒップラインに沿って自然にフィットすると共に、ウエストベルト４０の後中心４５を含む後部分がヒップから背中にかけてのラインに密着してずり落ちることを防ぎ、ヒップアップ効果も発揮する。また、前股上では、ウエストベルト４０の前中心４４を含む前部分が体から離れるように伸びるので、膨らんだ腹部に無理なくフィットすると共に、前屈みになっても窮屈さを感じない。図１において脇中心４３のラインが弧状に現れているのは、ウエストベルト４０の生地がバイアスを受けて伸びていることを示している。
【００１２】
前股上Ｌｆは、ハイミセス特有の腹囲の出っ張りと前屈み時に窮屈さを与えないことを考慮して決定する。後股上Ｌｒは、下がり気味のヒップを意識してゆったりとして長さに設定する。
【００１３】
図１において符号３５は後ダーツであり、ハイミセスの腹囲の大きさにフィットするよう、通常のパンツ１の後ダーツ３（図３）より短めに形成されている。
【図面の簡単な説明】
【００１４】
【図１】本考案の一実施形態によるパンツをハイミセスが着用したときの状態を示す図である。
【図２】このパンツの展開状態を示すパターン図である。
【図３】従来のパンツを標準体型の女性が着用したときの状態を示す図である。
【符号の説明】
【００１５】
１０  ハイミセス用パンツ
２０  前身頃
２１  股上部
２２  上縁
２３  脇中心
２４  前股部
３０  後身頃
３１  股上部
３２  上縁
３３  脇中心
３４  ヒップ
４０  ウエストベルト
４１  弧状を描く上縁
４２  弧状を描く下縁
４３  脇中心
４４  前中心
４５  後中心
ＡＶ  標準体型ライン
ＨＭ  ハイミセス体型ライン
Ｌｆ  前股上
Ｌｒ  後股上
【図１】
0003184207.tif 000003
【図２】
0003184207.tif 000004
【図３】
0003184207.tif 000005